(57)【要約】      （修正有）【課題】常に靴を極めて容易且つ、効率よく綺麗に磨くとともに該塗布体の長寿命化を図り得る六面靴磨き具を提供する。【解決手段】可撓性材質からなり一面が開口した箱体の二つ１Ａ，１Ｂを各開口縁１ａ，１ｂを突合わせて一体化することにより収納箱２とする。収納箱２を元の二つの箱体１Ａ，１Ｂに分離可能に構成し、収納箱２内にウレタンスポンジからなる立方体形状の塗布体３を嵌脱可能に収納する。収納箱２から他方の箱体１Ｂを取り外すことにより一方の箱体１Ａにおける開口から突出した塗布体３の一面を塗布面とする。塗布体３に対し一方及び他方の箱体１Ａ，１Ｂを互いに適宜量抜き出した状態で、他方の箱体１Ｂの内側面及び開口縁による塗布体３に対する所要方向への押回し及び押込み操作により塗布体３の六面の全てを塗布面として切替え可能にした。【選択図】図１
0003154160.tif 000002
【実用新案登録請求の範囲】
【請求項１】
可撓性材質からなり一面が開口した箱体の二つを各開口縁を突合わせて一体化することにより収納箱とすることが可能で、且つ該収納箱を元の前記二つの箱体に分離可能に構成し、前記収納箱内にウレタンスポンジからなる立方体形状の塗布体を嵌脱可能に収納し、該収納箱を構成している前記二つの箱体のうちのいずれか一方の箱体における対向外側面を挟圧し、該一方の箱体を通して前記塗布体を把持し、前記収納箱から他方の箱体を取り外すことにより前記一方の箱体における開口から突出した前記塗布体の一面を塗布面とするとともに、前記塗布体に対し前記一方及び他方の箱体を互いに適宜量抜き出した状態で、前記他方の箱体の内側面及び開口縁による前記塗布体に対する所要方向への押回し及び押込み操作により立方体形状からなる塗布体の六面の全てを前記塗布面として切替え可能に構成したことを特徴とする六面靴磨き具。
【請求項２】
上記箱体における一方の対向開口縁には、それぞれ係止片を突設するとともに該係止片の先端部に係止突部を形成し、他方の対向開口縁には、それぞれ被係止突起を形成し、上記箱体の二つは、互いに前記係止突部を前記被係止突起に対峙させ、該対峙する前記係止突部を前記被係止突起に係止させることにより一体化したことを特徴とする請求項１記載の六面靴磨き具。
【請求項３】
上記箱体における各内側面には深さ方向にそれぞれ複数の突条を形成したことを特徴とする請求項１又は２記載の六面靴磨き具。
【考案の詳細な説明】
【技術分野】
【０００１】
本考案は、六面靴磨き具に関するものであり、特に、立方体形状の塗布体の六面の全てを手を汚すことなく塗布面として使用することが可能な六面靴磨き具に関するものである。
【背景技術】
【０００２】
この種の従来技術としては、例えば、次のような靴磨き具が知られている。この従来技術は、低高で上下両面が開放の円筒状本体における内面の高さ方向中央部位に中心に向かって突板が突設され、該突板の中心部に適宜大きさの開口部が形成されている。また、円筒状本体における外側部の高さ方向中央部位には鍔部が形成され、該鍔部の上下両面の段設部にねじ部が形成されている。そして、該上下のねじ部にそれぞれ螺合される蓋体が設けられている。該蓋体は平面視円形で厚みは小さく皿状に形成されている。さらに、前記本体における突板の開口部に中央部位を挟持されてスポンジ製の塗布体が設けられている。該スポンジ製の塗布体は、本体の内側に内接される大きさで、前記上下の蓋体がねじ部に螺合されたとき、圧縮されて本体内に収納されている。
【０００３】
そして、使用時にいずれか一方の蓋体のみを締め戻して開蓋すると、圧縮されていたスポンジ製の塗布体が本体の開放面側に膨出し、この膨出部分に艶出し剤等を含浸させて靴磨きを行う。これと同様に、いずれか他方の蓋体のみを締め戻して開蓋すると、圧縮されていた塗布体が本体の他方の開放面側に膨出し、この膨出部分で靴磨きが行われる。このように、塗布体は上下の２面を塗布面として使用することが可能となっている（例えば、実用新案文献１参照）。
【先行技術文献】
【特許文献】
【０００４】
【特許文献１】実開昭６４−５０７７０号公報
【考案の概要】
【考案が解決しようとする課題】
【０００５】
実用新案文献１に記載の従来技術においては、スポンジ製の塗布体は、その上下の２面を塗布面として使用することが可能となっている。ところで、スポンジ製の塗布体を立方体形状として、手を汚すことなく、その六面の全てを順次塗布面として使用することができれば、常に全く汚れていないか、もしくは汚れの少ない塗布面で靴を磨くことができて、靴を極めて綺麗に磨くことができると考えられる。
【０００６】
そこで、立方体形状の塗布体の六面の全てを手を汚すことなく順次塗布面として使用可能として、常に靴を極めて容易且つ、効率よく綺麗に磨くとともに該塗布体の長寿命化を図るために解決すべき技術的課題が生じてくるのであり、本考案はこの課題を解決することを目的とする。
【課題を解決するための手段】
【０００７】
本考案は上記目的を達成するために提案されたものであり、請求項１記載の考案は、可撓性材質からなり一面が開口した箱体の二つを各開口縁を突合わせて一体化することにより収納箱とすることが可能で、且つ該収納箱を元の前記二つの箱体に分離可能に構成し、前記収納箱内にウレタンスポンジからなる立方体形状の塗布体を嵌脱可能に収納し、該収納箱を構成している前記二つの箱体のうちのいずれか一方の箱体における対向外側面を挟圧し、該一方の箱体を通して前記塗布体を把持し、前記収納箱から他方の箱体を取り外すことにより前記一方の箱体における開口から突出した前記塗布体の一面を塗布面とするとともに、前記塗布体に対し前記一方及び他方の箱体を互いに適宜量抜き出した状態で、前記他方の箱体の内側面及び開口縁による前記塗布体に対する所要方向への押回し及び押込み操作により立方体形状からなる塗布体の六面の全てを前記塗布面として切替え可能に構成した六面靴磨き具を提供する。
【０００８】
この構成によれば、一方の箱体を通して塗布体を挟み持ち該塗布体から他方の箱体を抜き取ることにより、一方の箱体の開口から突出した塗布体の一面が塗布面として使用される。そして該塗布面に艶出し剤等を含浸させて靴磨きが行われる。塗布体の一面を塗布面とした靴磨き回数が増えて磨き効果が薄れた場合は次のようにして塗布面の切替操作が行われる。塗布体に対する把持を一方の箱体と他方の箱体との間で適宜に変えつつ該塗布体に対し一方の箱体と他方の箱体とを互いに反対方向に適宜量抜き出す。次いで、塗布体を一方の箱体上に置いた状態で、他方の箱体による把持と内側面での押回しとの適宜の繰返しにより該塗布体を一方向へ４分の１回転させて塗布体の新たな面を上向きにし、この新たな面を他方の箱体の開口縁で一方の箱体側に押し込む。このような操作により、塗布体の新たな面が、手を汚すことなく一方の箱体上に塗布面として切替設定される。そして、このような塗布面の切替操作が、立方体形状の塗布体の六面中、未使用もしくは汚れの少ない残りの全ての面に対して順次行われる。
【０００９】
請求項２記載の考案は、請求項１記載の考案において、上記箱体における一方の対向開口縁には、それぞれ係止片を突設するとともに該係止片の先端部に係止突部を形成し、他方の対向開口縁には、それぞれ被係止突起を形成し、上記箱体の二つは、互いに前記係止突部を前記被係止突起に対峙させ、該対峙する前記係止突部を前記被係止突起に係止させることにより一体化した六面靴磨き具を提供する。
【００１０】
この構成によれば、二つの箱体の各開口縁を突合わせると、一方の箱体の対向開口縁にそれぞれ突設されている係止片の各先端部の係止突部が、他方の箱体の各開口縁部に形成されている被係止突起に係止され、他方の箱体の対向開口縁にそれぞれ突設されている係止片の各先端部の係止突部が、一方の箱体の各開口縁部に形成されている被係止突起に係止されて該二つの箱体が一体化され、収納箱が形成される。また、収納箱となっている状態で、一方の箱体を把持し他方の箱体を適宜に引っ張ると、各被係止突起に対する各係止突部の係止状態が外れて収納箱は元の二つの箱体に分離される。
【００１１】
請求項３記載の考案は、請求項１又は２記載の考案において、上記箱体における各内側面には深さ方向にそれぞれ複数の突条を形成した六面靴磨き具を提供する。
【００１２】
この構成によれば、箱体を通して塗布体を把持する場合においては、複数の突条がウレタンスポンジからなる塗布体に食い込んで把持力が増し、容易且つ、確実な把持が行われる。また塗布体から箱体を抜き取る際には、複数の突条が抜き取りガイドとして機能し、抜き取りが容易となる。
【考案の効果】
【００１３】
請求項１記載の考案は、塗布体の一面を塗布面とした靴磨き回数が増えて磨き効果が薄れたとき、塗布体の新たな面を手を汚すことなく一方もしくは他方の箱体上に新たな塗布面として切替設定することができる。したがって、立方体形状の塗布体の六面の全てを手を汚すことなく順次塗布面として切替使用することができて、常に靴を極めて容易且つ、効率よく綺麗に磨くことができるとともに該塗布体の長寿命化を図ることができるという利点がある。
【００１４】
請求項２記載の考案は、請求項１記載の考案の効果に加えてさらに、一方の箱体の係止突部と他方の箱体の被係止突起との係止及び他方の箱体の係止突部と一方の箱体の被係止突起との係止により、該二つの箱体を一体化した収納箱の形をとることができて、塗布体の管理容易性とともに非使用時には他のものを汚すおそれがない。また、使用時には前記係止を解除することにより、塗布体から他方もしくは一方の箱体のみを抜き取ることで、容易に一方もしくは他方の箱体上に塗布体を保持させた形をとることができるという利点がある。
【００１５】
請求項３記載の考案は、請求項１又は２記載の考案の効果に加えてさらに、複数の突条を、塗布体に対する把持力増強及び抜き取りガイドとして機能させることができて、箱体を通して塗布体の把持を容易、確実に行うことができるとともに塗布体に対する箱体の抜出しを一層容易且つスムーズに行うことができるという利点がある。
【図面の簡単な説明】
【００１６】
図は本考案の実施例に係る六面靴磨き具を示すものである。
【図１】収納箱を一部破断して示す正面図。
【図２】箱体の構成を示す図であり、（ａ）は平面図、（ｂ）は正面図、（ｃ）は図（ａ）のＸ−Ｘ線に沿う断面図、（ｄ）は図（ａ）のＹ−Ｙ線に沿う断面図。
【図３】立方体形状をした塗布体の斜視図。
【図４】塗布面の切替操作を説明するための図であり、（ａ）は塗布体に対し一方の箱体と他方の箱体を互いに適宜量抜き出した状態を示す図、（ｂ）は塗布体に対する他方の箱体の内側面による押回しの様子を示す図、（ｃ）は塗布体を一方向へ４分の１回転させて塗布体の新たな面を上向きにした状態を示す図、  （ｄ）は塗布体の新たな面を他方の箱体の開口縁で一方の箱体側に押込んだ状態を示す図。
【考案を実施するための形態】
【００１７】
本考案は、立方体形状の塗布体の六面の全てを手を汚すことなく順次塗布面として使用可能として、常に靴を極めて容易且つ、効率よく綺麗に磨くとともに該塗布体の長寿命化を図るという目的を達成するために、可撓性材質からなり一面が開口した箱体の二つを各開口縁を突合わせて一体化することにより収納箱とすることが可能で、且つ該収納箱を元の前記二つの箱体に分離可能に構成し、前記収納箱内にウレタンスポンジからなる立方体形状の塗布体を嵌脱可能に収納し、該収納箱を構成している前記二つの箱体のうちのいずれか一方の箱体における対向外側面を挟圧し、該一方の箱体を通して前記塗布体を把持し、前記収納箱から他方の箱体を取り外すことにより前記一方の箱体における開口から突出した前記塗布体の一面を塗布面とするとともに、前記塗布体に対し前記一方及び他方の箱体を互いに適宜量抜き出した状態で、前記他方の箱体の内側面及び開口縁による前記塗布体に対する所要方向への押回し及び押込み操作により立方体形状からなる塗布体の六面の全てを前記塗布面として切替え可能に構成することにより実現した。
【実施例１】
【００１８】
以下、本考案の好適な実施例を図１乃至図４を参照して説明する。まず、図１乃至図３を用いて本実施例に係る六面靴磨き具の構成を説明する。図１に示すように、プラスチックを用いた可撓性材質からなり一面が開口した同じ構成の二つの箱体１Ａ，１Ｂが、各開口縁１ａ，１ｂを突合わせて一体化することにより収納箱２とすることが可能で、且つ該収納箱２状態から元の二つの箱体１Ａ，１Ｂに分離可能に構成されている。前記収納箱２として組付けられた状態で、該収納箱２内に、図３に示すようなウレタンスポンジからなる立方体形状の塗布体３が嵌脱可能に収納されている。該塗布体３の一辺は、５０ｍｍ強であり、立方体を形成している六面ｍ、ｎ、ｐ、ｑ、ｒ、ｓの全てが塗布面としての使用が可能となっている。
【００１９】
そして、立方体形状の塗布体３を収納した分離可能な収納箱２は、該収納箱２を構成している二つの箱体１Ａ，１Ｂのうちのいずれか一方の箱体１Ａにおける対向外側面を挟圧し、該一方の箱体１Ａを通して前記塗布体３を把持し、収納箱２から他方の箱体１Ｂを取り外すことにより一方の箱体１Ａにおける開口から突出した塗布体３の一面を塗布面として、靴磨き具として機能する。このとき、取り外す方の箱体を一方の箱体１Ａとし、他方の箱体１Ｂにおける開口から突出した塗布体３の他の面を塗布面としても、勿論靴磨き具として機能する。
【００２０】
図２の（ａ）〜（ｄ）を用いて箱体１Ａ（１Ｂ）の構成を説明する。図２（ａ）に示すように、箱体１Ａ（１Ｂ）における一方の対向開口縁１ａ，１ａには、それぞれ係止片４が突設され、該係止片４の先端部に係止突部５が形成されている。また、他方の対向開口縁１ａ，１ａには、他方の箱体における係止突部に対応した被係止突起６が、各開口縁１ａ，１ａに沿ってそれぞれ形成されている。
【００２１】
二つの箱体１Ａ，１Ｂは、一方の箱体１Ａにおける係止突部５，５が他方の箱体１Ｂにおける被係止突起６，６に対峙し、他方の箱体１Ｂにおける係止突部５，５が一方の箱体１Ａにおける被係止突起６，６に対峙するようにして、各開口縁１ａ，１ｂを突合わせる。
【００２２】
これにより、一方の箱体１Ａの対向開口縁１ａ，１ａにそれぞれ突設されている係止片４の各先端部の係止突部５が、他方の箱体１Ｂの各開口縁１ｂ，１ｂに形成されている被係止突起６に係止され、他方の箱体１Ｂの対向開口縁１ｂ，１ｂにそれぞれ突設されている係止片４の各先端部の係止突部５が、一方の箱体１Ａの各開口縁１ａ，１ａに形成されている被係止突起６に係止されて二つの箱体１Ａ，１Ｂが一体化され、前記収納箱２が形成される。
【００２３】
このように、平面視四角形の一方の箱体１Ａと他方の箱体１Ｂとは、それぞれ、その四辺において係止突部５と被係止突起６で係止されて、収納箱２が形成されている。また、収納箱２となっている状態で、一方の箱体１Ａ（又は他方の箱体１Ｂ）を把持し他方の箱体１Ｂ（又は一方の箱体１Ａ）を適宜に引っ張ると、各被係止突起６，…に対する各係止突部５，…の係止状態が外れて収納箱２は元の二つの箱体１Ａ，１Ｂに分離される。
【００２４】
該箱体１Ａ（１Ｂ）における各内側面には深さ方向にそれぞれ３条ずつの突条７，…が形成されている。前記のように、箱体１Ａ（１Ｂ）を通して塗布体３を把持する場合において、各内側面に形成された３条ずつの突条７，…がウレタンスポンジからなる塗布体３に食い込んで把持力が増し、把持が確実となる。また塗布体３から箱体１Ａ（１Ｂ）を抜き取る際には、複数の突条７，…が抜き取りガイドとして機能し、抜き取り容易性が得られる。
【００２５】
さらに、箱体１Ａ（１Ｂ）における内底面には、低高のスペース用部材８が升状に立設されている。箱体１Ａ（１Ｂ）の内底面にスペース用部材８を立設したことで、ウレタンスポンジ製の塗布体３の底面がプラスチック製の箱体１Ａ（１Ｂ）の内底面に張付くことが防止されて、後述する塗布体３の押回し等が容易となる。また、塗布体３の底面が靴磨きで汚れていても、箱体１Ａ（１Ｂ）の内底面を汚すことがない。
【００２６】
次に、上述のように構成された六面靴磨き具の作用及び塗布面の切替操作を図４の（ａ）〜（ｄ）を用いて説明する。一方の箱体１Ａ（又は他方の箱体１Ｂ）を通して塗布体３を挟み持ち該塗布体３から他方の箱体１Ｂ（又は一方の箱体１Ａ）を抜き取ることにより、一方の箱体１Ａ（又は他方の箱体１Ｂ）の開口から突出した塗布体３の一面が塗布面として使用される。そして一方の箱体１Ａ（又は他方の箱体１Ｂ）を把持し、該塗布面に艶出し剤等を含浸させて靴磨きが行われる。      
【００２７】
塗布体３の一面を塗布面とした靴磨き回数が増えて磨き効果が薄れた場合は次のようにして塗布面の切替操作が行われる。いま、この塗布面の切替操作を前記図３に示す塗布体３のｍ面からｐ面に切替える場合を例にとって説明する。塗布体３に対する把持を一方の箱体１Ａと他方の箱体１Ｂとの間で適宜に変えつつ該塗布体３に対し一方の箱体１Ａと他方の箱体１Ｂとを互いに反対方向に適宜量抜き出す（図４（ａ））。
【００２８】
次いで、塗布体３を一方の箱体１Ａ上に置いた状態で、該塗布体３に対する他方の箱体１Ｂの内側面での図中矢印方向への押回しと該他方の箱体１Ｂによる把持との適宜の繰返しにより（図４（ｂ））、該塗布体３を図中矢印方向へ４分の１回転させて塗布体３のｐ面を上向きにする（図４（ｃ））。この上向きになったｐ面を他方の箱体１Ｂの開口縁１ｂで一方の箱体１Ａ内の所要深さ位置まで押し込む（図４（ｄ））。このような操作により、塗布体３のｐ面が、手を汚すことなく一方の箱体１Ａ上に新たな塗布面として切替設定される。そして、このような塗布面の切替操作が、立方体形状の塗布体３の六面中、未使用もしくは汚れの少ない残りの全ての面に対して順次行われる。
【００２９】
上述したように、本実施例に係る六面靴磨き具においては、塗布体３の一面を塗布面とした靴磨き回数が増えて磨き効果が薄れたとき、塗布体３の新たな面を手を汚すことなく箱体１Ａ（１Ｂ）上に新たな塗布面として切替設定することができる。したがって、立方体形状の塗布体３の六面の全てを手を汚すことなく順次塗布面として切替使用することができて、常に靴を極めて容易且つ、効率よく綺麗に磨くことができるとともに該塗布体３の長寿命化を図ることができる。
【００３０】
一方の箱体１Ａの係止突部５と他方の箱体１Ｂの被係止突起６との係止及び他方の箱体１Ｂの係止突部５と一方の箱体１Ａの被係止突起６との係止により、該二つの箱体１Ａ，１Ｂを一体化した収納箱２の形をとることができて、塗布体３の管理容易性とともに非使用時には他のものを汚すおそれがない。
【００３１】
複数の突条７，…を、塗布体３に対する把持力増強及び抜き取りガイドとして機能させることができて、一方の箱体１Ａ（又は他方の箱体１Ｂ）を通して塗布体３の把持を容易、確実に行うことができる。
【００３２】
箱体１Ａ（１Ｂ）の内底面に、低高のスペース用部材８を升状に立設したことで、ウレタンスポンジ製の塗布体３の底面がプラスチック製の箱体１Ａ（１Ｂ）の内底面に張付くことが防止されて、塗布面の切替の際の塗布体３の押回し等が容易になる。また、塗布体３の底面が靴磨きで汚れていても、箱体１Ａ（１Ｂ）の内底面を汚すことがない。
【００３３】
なお、本考案は、本考案の精神を逸脱しない限り種々の改変をなすことができ、そして、本考案が該改変されたものにも及ぶことは当然である。
【産業上の利用可能性】
【００３４】
立方体形状の塗布体の六面の全てを手を汚すことなく順次新たな塗布面として使用することが可能で、常に磨き対象を効率よく綺麗に磨くことが可能であるともに該塗布体の長寿命化を図ることが不可欠な家具等の磨き具にも適用することが可能である。
【符号の説明】
【００３５】
１Ａ，１Ｂ  箱体
１ａ，１ｂ  開口縁
２          収納箱
３          塗布体    
４          係止片
５          係止突部
６          被係止突起
７          突条
８          スペース用部材
【図１】
0003154160.tif 000003
【図２】
0003154160.tif 000004
【図３】
0003154160.tif 000005
【図４】
0003154160.tif 000006